(57)【要約】【課題】ヒートポンプユニットからの騒音を良好に遮蔽することができるようにする。【解決手段】ヒートポンプユニット４０は、圧縮機４２、蒸発器４３、凝縮器４４などを一体化して構成されており、筐体２１に配置固定されている。遮音用カバー５６は、前記ヒートポンプユニット４０の圧縮機４２部分を覆い、且つ該ヒートポンプユニット４０と非接触形態に、筐体２１に配設した。【選択図】図１
2009125452.tif 000002
【特許請求の範囲】
【請求項１】
筐体内に設けられ給気口及び排気口を有する水槽と、
この水槽内に設けられた回転槽と、
圧縮機、蒸発器及び凝縮器を一体化して構成され、前記筐体に配置固定されたヒートポンプユニットとを備え、
前記凝縮器で加熱した空気を前記給気口に供給し、前記排気口から吐出させて前記蒸発器により冷却除湿し、再度前記凝縮器で加熱することを繰り返して乾燥を行うようにしたものにおいて、
遮音用カバーを、前記ヒートポンプユニットの一部又は全体を覆い、且つ該ヒートポンプユニットと非接触形態に、前記筐体に取付けたことを特徴とする洗濯乾燥機。
【請求項２】
前記ヒートポンプユニットは、前記筐体に弾性支持状態で取付けられていることを特徴とする請求項１に記載の洗濯乾燥機。
【請求項３】
前記遮音用カバーの前記ヒートポンプユニットを避けて形成される隙間を柔軟性ある閉鎖部材により塞ぐ構成としたことを特徴とする請求項１又は２に記載の洗濯乾燥機。
【発明の詳細な説明】
【技術分野】
【０００１】
本発明は、ヒートポンプユニットを備えた洗濯乾燥機に関する。
【背景技術】
【０００２】
従来、ヒートポンプユニットを備えた洗濯乾燥機としては、例えば特許文献１、２に記載されたものがある。前記ヒートポンプユニットは、圧縮機、蒸発器及び凝縮器を一体化して構成している。そして、前記凝縮器で加熱した空気を水槽の給気口に供給し、水槽内のドラムを通し、水槽の排気口から吐出させて前記蒸発器により冷却除湿し、再度前記凝縮器で加熱することを繰り返して乾燥を行うようにしている。
【特許文献１】特開２００７−６１６４３号公報
【特許文献２】特開２００６−２１８３１３号公報
【発明の開示】
【発明が解決しようとする課題】
【０００３】
ところで、上記従来では、ヒートポンプユニットからの騒音が大きいという問題があった。
これを解決するために、図８及び図９に示す構成としたものがある。このものでは、ヒートポンプユニット１は、支持板２上に、圧縮機３、蒸発器４及び凝縮器５、さらには送風装置６を配設した一体構造であり、上記蒸発器４、凝縮器５、送風装置６の送風羽根６ａはダクト７により形成された通風路内に位置する。前記支持板１は筐体８の台板９に配設されている。
【０００４】
このものでは、圧縮機３が運転されると、冷媒が凝縮器５で放熱し、蒸発器４で蒸発し、送風装置６が運転されることにより、前記凝縮器５で加熱した空気を水槽１０の給気口１０ａに供給し、水槽１０内のドラム１１内を通し、水槽１０の排気口１０ｂから吐出させて前記蒸発器４により冷却除湿し、再度前記凝縮器５で加熱することを繰り返して乾燥を行うようにしている。
そして、このものでは、ヒートポンプユニット１のうち主たる振動源（騒音源）である圧縮機３とその配管部分を遮音用カバー１２で覆う形態で前記支持板２に固定するようにしている。
【０００５】
しかしこの構成においては、遮音用カバー１２を設けた割には、騒音がなかなか低下しないという問題があった。
本発明は上述の事情に鑑みてなされたものであり、その目的は、ヒートポンプユニットからの騒音を良好に遮蔽することができる洗濯乾燥機を提供することにある。
【課題を解決するための手段】
【０００６】
本発明は、次の点に着目してなされている。
上記従来の洗濯乾燥機においては、遮音用カバーをヒートポンプユニットに固定しているため、ヒートポンプユニットの振動が直接遮音用カバーに伝達してしまい、該遮音効果がなかなか上がらないことが分かった。
【０００７】
そして、洗濯乾燥機において、振動の発生しにくい部分を調査した結果、筐体であることが分かった。つまり、筐体には、水槽及び回転槽さらにはモータさらにヒートポンプユニットを設けており、該筐体は、洗濯乾燥機の主要部の重量がかかるものであり、剛性もかなり強くしてあり、該筐体自体は、振動しにくいものである。
【０００８】
しかして、請求項１は、筐体内に設けられ給気口及び排気口を有する水槽と、この水槽内に設けられた回転槽と、圧縮機、蒸発器及び凝縮器を一体化して構成され、前記筐体に配置固定されたヒートポンプユニットとを備え、前記凝縮器で加熱した空気を前記給気口に供給し、前記排気口から吐出させて前記蒸発器により冷却除湿し、再度前記凝縮器で加熱することを繰り返して乾燥を行うようにしたものにおいて、遮音用カバーを、前記ヒートポンプユニットの一部又は全体を覆い、且つ該ヒートポンプユニットと非接触形態に、前記筐体に取付けたところに特徴を有する。
【０００９】
この請求項１においては、遮音用カバーを、前記ヒートポンプユニットの一部又は全体を覆い、且つ該ヒートポンプユニットと非接触形態に、前記筐体に取付けたから、遮音用カバー自体の振動を抑えることができ、しかもヒートポンプユニットからの振動の影響は受けず、もって、該遮音用カバーは、ヒートポンプユニットからの騒音を確実に遮音できて、騒音低減に大いに寄与できる。
【発明の効果】
【００１０】
本発明によれば、ヒートポンプユニットからの騒音を良好に遮蔽することができる。
【発明を実施するための最良の形態】
【００１１】
以下、本発明をドラム式の洗濯乾燥機に適用した第１実施例につき、図１乃至図４を参照して説明する。
まず、図１及び図２には、洗濯乾燥機の全体構成が示されており、外郭を形成してなる筐体２１は、底部を構成する台板２２と、この台板２２に固定された外箱２３とから構成されている。この筐体２１の内部には、水槽２４が配設され、水槽２４の内部には、洗濯物の洗い、脱水、乾燥に用いられる回転槽たるドラム２５が配設されている。
【００１２】
この筐体２１は、当該洗濯乾燥機の主要構成部品（水槽２４、ドラム２５、後述するモータ３８、ヒートポンプユニット４０など）の重量を支持しており、剛性を強くしている。
上記水槽２４及びドラム２５は、ともに横軸円筒状をなすもので、前側の端面部にそれぞれの開口部２６，２７を有している。水槽２４の開口部２６は、筐体２１の前面部に形成した洗濯物の出し入れ用の開口部２８にベローズ２９が接続され、又、該筐体２１の開口部２８には扉３０が開閉可能に設けられている。
【００１３】
ドラム２５の周側部（胴部）の略全域には、小孔２５ａが形成されている（一部のみ図示）。小孔２５ａは、洗濯時及び脱水時に通水孔として機能し、乾燥時には通風孔として機能するようになっている。そのほか、ドラム２５の周側部の内面には、洗濯物撹拌用のバッフル２５ｂが複数個設けられている。
【００１４】
前記水槽２４には、前端面の上方部位に排気口３１が形成され、後端面の上方部位に給気口３２が形成されている。このほか、水槽２４の底部の後部には、排水口３３が形成されており、この排水口３３には、水槽２４外で排水弁３４と接続され、更に、排水弁３４に排水ホース３５が接続され、これらにより水槽２４内の水を筐体２１外に排出するようにしている。
【００１５】
前記ドラム２５の後端面（背面）の中心部には、回転軸３６の一端が連結固定され、他端は、水槽２４の後側の端面部の中心部を回転可能に挿通して後方へ突出されている。ドラム２５の後端面には、多数の温風導入孔３７が形成されている。
前記水槽２４の後端面（背面）には、モータ３８が取付けられている。モータ３８は、アウターロータ形であり、更に、この場合、ブラシレスＤＣモータであって、そのロータ３９は前記回転軸３６に連結固定されている。この構成により、ドラム２５は回転軸３６を中心にモータ３８によりダイレクトに回転される。
【００１６】
尚、水槽２４は、複数のサスペンション（図示せず）により筐体２１の台板２２上に弾性支持されており、その支持形態は、水槽２４の軸方向が前後となる横軸状で、しかも前上がりの傾斜状であり、従って、ドラム２５も同形態となっている。
【００１７】
筐体２１の台板２２には、ヒートポンプユニット４０が配設されている。このヒートポンプユニット４０は、支持板４１上に、圧縮機４２、蒸発器４３及び凝縮器４４、さらには送風装置４５を配設した一体構造であり、上記蒸発器４３、凝縮器４４、送風装置４５の送風羽根４５ａはダクト４６により形成された通風路内に位置する。この場合、支持板４１は図１から分かるように、全体的には矩形状をなすが左側（洗濯乾燥機の正面から見て左側）に若干張り出す形状をなしており、この張り出し部分４１ａに前記圧縮機４２が複数の弾性取付脚４２ａを介して取り付けられている。
【００１８】
なお、前記送風装置４５は前記送風羽根４５ａと送風モータ４５ｂとから構成されている。
前記圧縮機４２の吐出部と凝縮器４４との間には、吐出管４７が接続され、蒸発器４３と圧縮機４２の吸入部との間には、吸入管４８が接続され、そして、凝縮器４４と蒸発器４３との間には連結管４９が接続されている。
【００１９】
上記支持板４１は、複数の弾性脚５０により弾性的に前記台板２２上に配設されており、この弾性脚５０は、図４に示すように、ゴムなどの弾性体５０ａと取付ねじ５０ｂとを有している。そして、弾性体５０ａは、支持板４１の嵌合孔４１ｂに嵌合されて該支持板４１の上下に突出する形態であり、取付ねじ５０ｂを該弾性体５０ａのねじ通し孔５０ｃを通して、台板２２のねじ孔２２ａにねじ込むことで、弾性脚５０として機能する。
【００２０】
前記ヒートポンプユニット４０のダクト４６の前端部及び後端部には、図２に示すように、上向きの接続ダクト部４６ａ及び４６ｂが形成されており、接続ダクト部４６ａは、蛇腹部５１、排気ダクト５２を介して前記排気口３１に接続され、また、接続ダクト部４６ｂは、蛇腹部５３、給気ダクト５４を介して前記給気口３２に接続されている。これらダクト４６、蛇腹部５３、給気口３２、水槽２４内（ドラム２５内）、排気口３１、排気ダクト５２、蛇腹部５１により、温風循環路５５が形成されている。
【００２１】
さて、遮音用カバー５６は、前記ヒートポンプユニット４０の一部例えば前記圧縮機４２と吐出管４７及び連結管４９部分を上から覆い得るように、下面開口形の矩形箱状に形成されている。この遮音用カバー５６は、下部４箇所に取付片５７を有し、この取付片５７が前記台板２２に取り付けられている。この場合、この遮音用カバー５６のダクト４６側の側板５６ａには、図３に示すように、支持板４１の張り出し部４１ａと、吐出管４７と、吸入管４８と、連結管４９とを避けるための隙間（ヒートポンプユニット４０を避けて形成される隙間）である切り欠き部５６ｂ、５６ｃ、５６ｄ、５６ｅが形成されている。もって、遮音用カバー５６は、ヒートポンプユニット４０に対して非接触形態に前記筐体２１に取付けられている。
【００２２】
さらにこの遮音用カバー５６の側板５６ａには、例えば独立気泡形のスポンジなどからなる柔軟性ある閉鎖部材５８が、前記切り欠き部５６ｂの上部、５６ｃ、５６ｄ、５６ｅをほぼ塞ぐように貼り付けられている。なお、この閉鎖部材５８はヒートポンプユニット４０と接触したとしても柔軟性があるから、振動伝播の面からみれば非接触といえる。
【００２３】
さて、上記構成において、乾燥運転時には、ドラム２５が回転されると共に、送風装置４５が運転され、さらに圧縮機４２が運転される。該圧縮機４２が運転されると、圧縮機４２内の冷媒が圧縮されて吐出され、凝縮器５で放熱し、蒸発器４で蒸発する。そして、送風装置４５が運転されることにより、温風循環路５５を図２の矢印で示すように循環する。このとき、循環空気が前記凝縮器４４で加熱されて、水槽２４内（ドラム２５内）に供給され、この際にドラム２５内の洗濯物の乾燥に寄与し、水槽２４の排気口３１から出て、前記蒸発器４３により冷却除湿され、再度前記凝縮器４４で加熱されることが繰り返えされる。
【００２４】
このとき、圧縮機４２を含む前記ヒートポンプユニット４０が振動し、振動音が発生する。この場合、主たる振動源は圧縮機４２である。このヒートポンプユニット４０は弾性脚５０により弾性的に支持されているから、このヒートポンプユニット４０の振動が筐体２１に伝わることが少ない。
【００２５】
ここで、本実施例によれば、遮音用カバー５６を、前記ヒートポンプユニット４０の圧縮機４２及び配管部分を覆い、且つ該ヒートポンプユニット４０と非接触形態に、前記筐体２１の台板２２に取付けたから、遮音用カバー５６自体の振動を抑えることができ、しかもヒートポンプユニット４０からの振動の影響も受けず、もって、該遮音用カバー５６は、ヒートポンプユニット４０の圧縮機４２からの騒音を確実に遮音できて、騒音低減に大いに寄与できる。
【００２６】
特に、筐体２１のうち剛性が最も強い台板２２に遮音用カバー５６を取付けたから、遮音用カバー５６の振動防止をさらに確実化できる。
さらに本実施例によれば、ヒートポンプユニット４０を、弾性脚５０により前記筐体２１に弾性支持状態で配設しているから、このヒートポンプユニット４０の振動が筐体２１に伝わることが少なく、遮音用カバー５６自体の振動をさらに確実に防止でき、騒音防止をさらに確実化できる。
【００２７】
また本実施例によれば、前記遮音用カバー５６と前記ヒートポンプユニット４０を避けて形成された隙間である前記切り欠き部５６ｂ、５６ｃ、５６ｄ、５６ｅのほぼ全体を柔軟性ある閉鎖部材５８により塞ぐ構成としたから、ヒートポンプユニット４０から遮音用カバー５６への振動伝播を防止しながら、騒音漏れをさらに有効に防止することができる。
【００２８】
次に図５及び図６は本発明の第２の実施例を示しており、この実施例では、遮音用カバー６１による遮音範囲が第１の実施例と異なる。この第２の実施例においては、遮音用カバー６１は、圧縮機４２部分（張り出し部４１ａ部分）を覆う構成としている。この第２の実施例によれば、遮音用カバー６１の小形化を図りながら、騒音を有効に遮蔽することができる。この場合も、吸入管４８逃げ用の切り欠き５６ｄを閉鎖部材５８により塞ぐと共に、図示しないが吐出管４７逃げ用の切り欠きを閉鎖部材により塞ぐ構成としている。
【００２９】
また、図７は本発明の第３の実施例を示しており、この第３の実施例の遮音用カバー６２はヒートポンプユニット４０の全体を非接触形態で覆う構成としている。この第３の実施例によれば、ヒートポンプユニット４０からの騒音をさらに有効に遮蔽することができる。
なお、第１の実施例における遮音用カバー５６は、その側板５６ａを設けずに開口した形状に形成してもよく、この場合、該開口部をヒートポンプユニット４０のダクト４６を利用して閉塞するようにしても良い。この場合、その両者の隙間を柔軟性ある閉鎖部材により閉鎖する構成としても良い。
【図面の簡単な説明】
【００３０】
【図１】本発明の第１の実施例を示す洗濯乾燥機全体の横断平面図
【図２】全体の縦断側面図
【図３】図１の矢印Ａ−Ａ線断面図
【図４】弾性脚部分の断面図
【図５】本発明の第２の実施例を示す図１相当図
【図６】図３相当図
【図７】本発明の第３の実施例を示す図１相当図
【図８】従来例を示す図２相当図
【図９】図１相当図
【符号の説明】
【００３１】
図面中、２１は筐体、２２は台板、２３は外箱、２４は水槽、２５はドラム（回転槽）、３１は排気口、３２は給気口、３８はモータ、４０はヒートポンプユニット、４１は支持板、４２は圧縮機、４３は蒸発器、４４は凝縮器、４５は送風装置、５０は弾性脚、５５は温風循環路、５６は遮音用カバー、５６ｂ、５６ｃ、５６ｄ、５６ｅは切り欠き部（隙間）、５８は閉鎖部材、６１、６２は遮音用カバーを示す。
【図１】
2009125452.tif 000003
【図２】
2009125452.tif 000004
【図３】
2009125452.tif 000005
【図４】
2009125452.tif 000006
【図５】
2009125452.tif 000007
【図６】
2009125452.tif 000008
【図７】
2009125452.tif 000009
【図８】
2009125452.tif 000010
【図９】
2009125452.tif 000011